(57)【要約】【目的】  １９９５年の阪神、淡路大震災から、最近の２００４年の新潟中越大震災によると、家の塀を構成しているセメントモルタルで作られたブロック塀や、レンガを積み上げたレンガ塀等が脆く崩れ落ち、死傷者を出している。この発明の目的は、通常廃材とされる間伐材や、木材から製品を取った残余のはね木を用いて頑丈で重厚、且つ趣のある塀を廉価に提供することである。【構成】  ボルトが所定の間隔で設けられた、（又は挿通された）Ｌ型連結部材及び又は平型連結部材と、柱とで枠が作られる。この連結部材を挟み、前記ボルトによって外側塀材と内側壁部材とが並列に固定される。【選択図】  図1
2006312810.tif 000002
【特許請求の範囲】
【請求項１】
先が細く略円錐状をなす間伐材を縦に切断して、少なくとも一部に円弧を有する角材、或いは木材の原木から柱材や板材を採取した残余のはね木から作成された、少なくとも一部に円弧を有する角材、その他の角材等木材から成る塀部材を多数並列せしめて構成された塀であって、前記塀部材は、少なくとも塀の上部と下部に設けられた連結部材に所定の間隔で多数挿通、或いは設けられたボルトで並列に固定せしめられ、該連結部材はボルトを挿通、或いは設けられたＬ型鋼、及び鋼帯で構成されていることを特徴とする塀の連結構造。
【請求項２】
前記連結部材を挟んで該塀部材の幅の１／２ずつずれて且つ向かい合って並列に固定せしめられる内側と外側の塀部材は、その両端から塀部材の幅の１／４ずつの位置で、少なくとも夫々２箇所挿通する、又は設けられたボルトで固定されている請求項１に記載の塀の連結構造。
【請求項３】
前記ボルトは連結部材を挿通して、或いは連結部材の表と裏に対称に設けられ、又は連結部材の表と裏に交互にずれて設けられ、然して角材から成る塀部材が該ボルトによって塀部材の表と裏に交互にずれて、或いは対称に並列固定されることを特徴とする請求項１〜２に記載の塀の連結構造。
【請求項４】
前記塀の内側又は外側の上端に設けられる連結部材はＬ型連結部材である請求項１〜３に記載の塀の連結構造。
【請求項５】
前記塀を構成する塀部材が傾斜して設けられている請求項１〜４に記載の塀の連結構造。
【請求項６】
前記塀を構成する外側の塀部材の頂部と、内側の塀の上端との間に段差が設けられている請求項１〜５に記載の塀の連結構造。
【請求項７】
前記塀部材には、ボルトと対応する位置に予めボルト穴が設けられている請求項１〜６に記載の塀部材。
【請求項８】
塀を構成する木材より成る塀の表面に厚さ０．５〜１０ｍｍのセラミックス化処理がなされることを特徴とする請求項１〜７に記載の塀部材。
【発明の詳細な説明】
【技術分野】
【０００１】
この発明は木材の角材より成る塀の連結構造と塀部材に関し、主として間伐材を利用した角材及び又は半丸材、欠円材、或いは木材の原木から柱や板材を採取した残りのはね木等、少なくとも一部に円弧が残っていることで市場価値が無くなっている自然の資源が、塀部材として有効利用できる塀の連結構造と塀部材に関するものである。
【背景技術】
【０００２】
１９９５年の阪神、淡路大震災はもとより２００４年の新潟県中越大震災にも多数見られるように、震災によって家等の塀を構築しているセメントモルタルで作られたブロック塀や、レンガを積み上げたレンガ塀等が脆く崩れ落ちている。そしてこのブロック塀や、レンガ塀等の下敷きになって怪我人が多数出ている。
上記悲惨な現実からその元凶となったセメントモルタルで作られたブロック塀や、レンガを積み上げたレンガ塀等の是非が問われ、同時に樹木による生垣や板塀等が再評価、奨励されている。
【０００３】
然し乍ら樹木による生垣は自然環境上からも極めて望ましいことであるが、植えられた樹木の成長が遅いためすぐには塀として対応できない問題がある。更に常に刈り込みなどの手入れが大変である問題がある。
また板塀は、コストは低いが寿命が短く、且つ軽薄で重量感に欠け近時の嗜好に適合しない問題がある。
【０００４】
これに対して枕木や間伐材等から採取した角材を所定間隔で配列配設し、この配列する塀部材の配列角度を塀の築造ラインに対して所定角度旋回させるとともに、互いに隣接する塀部材間を連結部材にて連結固定した特開２００４−７６５４３号が提案されている。
【０００５】
前記提案では、各部材を連結するものは連結部材片であって、それぞれ塀部材の下部が地中へ強固に埋設されなければ、折角築造された塀の維持が困難になる問題がある。
【特許文献１】特開２００４−７６５４３号
【発明の開示】
【発明が解決しようとする課題】
【０００６】
この発明が解決しようとする問題点は、上記提案では角材を使用した塀部材の連結部材片による連結構造が、塀部材の下部が地中に埋設されなければそれだけでは脆弱なこと、及び使用される角材は出来るだけ正確に方形であることが求められていることである。
即ち塀部材が半丸材等では連結部材片の使用が困難なことである。
【０００７】
本発明の目的は、少なくとも一部に円弧が残っていることで市場価値が極端に低くなっている自然の資源、即ち間伐材を利用した角材及び又は半丸材、欠円材、或いは木材の原木から柱や板材を採取した残りのはね木等が塀部材として有効利用できる、塀の連結構造と塀部材を提供することである。
そして、今迄にはない意匠の塀を提案することである。
【課題を解決するための手段】
【０００８】
本発明の連結構造に係る連結部材は、一例として亜鉛メッキなど防錆処理を施した鋼帯から作成された平型連結部材、Ｌ型鋼、或いは鋼帯をＬ型に曲げて作成されたＬ型連結部材に、塀部材の厚さより短いボルトが所定の位置に所定の間隔（例えば塀部材の巾）で多数設けられていることを特徴とし、少なくとも塀を構成する内側塀部材の上端と下端、又は下部に設けられた連結部材の前記ボルトで内外の塀部材が並列に固定せしめられることを特徴とする。
【０００９】
更に本発明の特徴の一つは、連結部材に設けられるボルトが連結部材の長手方向に塀の内外で少し（好ましくは塀部材の巾の１／２）だけ交互にずれて設けられることで、配列固定されている外側の塀部材と内側の塀部材との隙間が遮蔽され、塀が強化される連結構造である。
【００１０】
また、連結部材に植えられるボルトが内外で対称であれば、内外に並列に固定せしめられる塀部材の隙間が塀の隙間として機能する。この隙間の巾はボルトの巾で自由に調節ができる。
【００１１】
外側塀部材と内側塀部材の上端が揃うように配列され、内側又は外側塀部材の上端に設けられたＬ型連結部材で内外の塀部材が固定されると、塀が外側又は内側に曲げられようとする外力に抗することができる。
【００１２】
更に外側に配列された外側塀部材は、内側塀部材の上端即ちＬ型連結部材の上へ、任意の高さに段差を設けて出すことができ、その出た部分には強度と関係なく自由にデザインすることができる。
【００１３】
然して、外側塀部材と内側塀部材の上端との間に設けられた段差によって、Ｌ型連結部材が外側から隠れることで、該Ｌ型連結部材の位置、即ち内側塀部材の上端に鉢植えを固定したり、吊り下げたりして内側から楽しむことができる。
【００１４】
塀部材の下端（又は下部）は、鋼帯より成る平型連結部材が設けられ、上記上端に設けられた上端Ｌ型連結部材のボルトと同じ位置にボルトが設けられる。
【００１５】
塀部材の下端は、外側塀部材、内側塀部材共に切り揃えてＬ型連結部材又は平型連結部材で固定するか、或いはどちらかを切り揃えて片方の下端を、又は両方の下端が地面に埋設（この場合の連結部材は平型連結部材を使用）される。
【００１６】
本発明の塀の連結構造においては、外側に配列される外側塀部材と内側に配列される内側塀部材とは、両側の塀部材に挟まれた連結部材であるＬ型連結部材と平型連結部材の厚さだけ隙間が開くことになる。
然しながら内側塀部材の上端と下端にＬ型連結部材を使用し、図１１（イ）、（ロ）が示すように連結することも出来る。（イ）の場合はＬ型連結部材４の隙間ができない。
【００１７】
木材の角材から成る塀部材２には、少なくとも２箇所、所定の位置に図４に示すボルト穴８が貫通し、且つ連結部材との接合面１３から一定の厚さを残してボルト６に螺合するナット７が回転できるバカ穴９があけられている。該バカ穴９には必要に応じて後からキャップ１８が詰められる。
【発明の効果】
【００１８】
この発明によれば、廉価な間伐材が有効利用できる。原木を必ずしも角材や同一径に加工しなくても良く、また自然の皮付でもよい。連結部材に対して塀部材の着脱が容易であるから、一部腐敗しても交換できる。
連結部材の金物が見えない。金属やコンクリートの柱とも組み合わせができる。
【発明を実施するための最良の形態】
【００１９】
本発明の好ましい実施の形態は、市場価値の極めて低い間伐材、木材の原木から柱材や板材を採取した残りのはね木を木塀部材として有効に利用することである。そして図５に示すように、これらから作成された少なくとも一部に円弧を有する角材を用い、該角材の少なくとも一側面が一定の平面（接合面１３、１３'）を構成するように形成する。
【００２０】
即ち、Ｌ型鋼又は鋼帯から成る連結部材側に対し、前記接合面１３、１３’を対抗対面せしめて連続して並列に固定される。
【００２１】
連結部材には角材より成る塀部材２の巾と同じピッチで、角材の厚さより少し短いボルト６が並列して設けられる。
【００２２】
連結部材に前記ボルト６を設ける手段としては、連結部材の所定位置にボルト６を溶接するか、又は連結部材の所定位置に下穴をあけ、この下穴にタップで雌ネジ２０を切って置き、組立てのとき、該雌ネジ２０にボルト６をねじ込むことで連結部材にボルト６が設けられる。
該雌ネジ２０を切るときは、連結部材の所定位置に図６（イ）に示す膨出１７が設けられていることが望ましい。
或いは図６（ロ）に示す穴２２にヘッド付ボルト２３を挿通する。
ヘッド付ボルト２３を挿通する場合、図６（ハ）に示す膨出１７が設けられ、この膨出１７の内側にボルト２３のヘッドが回転しない形状の六角窪み２６が設けられることが好ましい。
【００２３】
塀１の枠を構成する角型鋼管の柱３、平型連結部材５、Ｌ型連結部材４は共に防錆処理として亜鉛のどぶ付けメッキ等がなされることが望ましい。ボルト６も同様である。
【００２４】
塀部材２は所定の形状（好ましくは接合面１３が平面）に加工された後、樹脂や防腐液を含浸、即ち塀部材をクレオソート、竹酢液、木酢液等に浸漬後、乾燥処理等をして木材防腐の処理がなされることが望ましい。
【００２５】
及び、又は塀部材の木材表面にセラミックス化処理で木材防腐、防炎の処理がなされることが望ましい。この場合、木材表面は鋸目を残すような粗面であることが好ましい。
このセラミックス化処理材の一例として水硬性セメントモルタルがある。例えば籾殻粉、籾殻炭粉末、有機無機短繊維補強材、水溶性高分子化合物、ポルトランドセメント等の少なくとも一部を水等で混練、溶解、分散せしめられたものが提示できる。
塀部材２を前記水硬性セメントモルタルに浸漬、或いは塗布などして乾燥硬化し、木材より成る塀部材の表面に厚さが０．５〜１０ｍｍのセラミックス化処理がなされる。
【００２６】
前記塀部材のセラミックス化処理に際して、塀部材２のボルト穴８、バカ穴９には適当な栓をして、モルタルがボルト穴８、バカ穴９に侵入しないようにされることが望ましい。
【実施例１】
【００２７】
実施例１は図１に示す。塀１を構成する内側塀部材２ａと外側塀部材２ｂは、上端にＬ型連結部材４と下部に平型連結部材５を挟み、夫々の接合面１３、１３’を互いに向かい合わせて並列に配列し、Ｌ型連結部材４、平型連結部材５に設けられている多数のボルト６で夫々が固定されている。
図２は実施例１の態様を平面図で示す説明図である。
【００２８】
塀１の要となる柱３は図３に示すように、一辺が１５０ｍｍで厚さが６ｍｍの角型鋼管の上端に蓋１０を溶接、そして柱３の側面にはＬ型連結部材４を止める据付ボルト１１が設けられ、更に柱３の下部の所定位置には平型連結部材５が固定される固定ボルト１２が設けられる。Ｌ型連結部材４と平型連結部材５は夫々の位置で平行にナットで固定されるが、柱３に対する取付け角度は必ずしも夫々が直角でなくてもよく、設置される地面３０の傾斜に倣った平行四辺形でも対応できる。更には平行に蛇行してもよい。
【００２９】
ここで使用される塀部材２は間伐材であって、図５に示すようにその末口が１５ｃｍ、長さが２００ｃｍのものを、中心から二つに縦割り切断し、その切断面１９を塀部材２の接合面１３とし、該接合面１３を基準にして両端円弧の部分を切断し、巾１２ｃｍ×高さ８ｃｍの矩形（３×２）で断面が略方形の塀部材２とする。前記所定の巾と高さ及び長さに調整作成された塀部材２には、所定の位置に図４に示すボルト穴８を貫通。更にナット７が回るバカ穴９がより大きく設けられる。１８はキャップである。
【００３０】
実施例１の塀１を設置する手順として、図３に示すように先ず所定の位置に柱３の下部を地面３０に埋めて固定し、そして柱３に設けられている据付ボルト１１にＬ型連結部材４をナットで固定する。次に柱３の固定ボルト１２に平型連結部材５を固定して塀１の枠とする。柱３に、枠の一部となって夫々が平行に取り付けられているＬ型連結部材４と、平型連結部材５には、塀部材２を取り付けるボルト６・・が多数設けられている。
そして図１、図４に示すように、塀１の外側から外側塀部材２ｂと、内側から内側塀部材２ａとが、夫々の上端をＬ型連結部材４に揃え、且つボルト６にボルト穴８を合わせて挿入され、平行に配列されてナット７で夫々の塀部材２がボルト６に取り付けられる。
ボルト６にナット７を締めた後のバカ穴９には適宜キャップ１８が詰められる。
Ｌ型連結部材４と平型連結部材５に固定された内外の塀部材２の下端１４は適宜（５ｃｍ〜１０ｃｍ）地面３０に埋められる。
【００３１】
然しながら。ここで完成した実施例１の塀１は、図１に示すようにその上端にＬ型連結部材４が使用されているために水平方向からの圧力に対して強く、塀部材２の下端１４は必ずしも地面３０に埋めなくてもよい。
【００３２】
図１１（イ）、（ロ）に示すように内側塀部材２ａの下端１４を地面３０から少し上で揃え、Ｌ型連結部材４で固定してもよい。
【００３３】
Ｌ型連結部材４と、平型連結部材５に規則正しく設けられているボルト６・・は、各連結部材に溶接で植えられるか、又はネジ等で固定される。
【実施例２】
【００３４】
実施例１では上部と下部の塀部材は、夫々１本のボルトで連結部材２に結合されているが、実施例２では図７、図８、図９に示すように、塀部材の中心から１／４ずれた量即ち塀部材の巾の１／４ずつ塀部材の端から２箇所ボルト穴を挿通せしめ、挿通ボルト２１で表裏の塀部材が一体に接合される。（外側塀部材と内側塀部材のずれは塀部材の巾の１／２）
【００３５】
図８は実施例２（図７）の態様を平面図で示す説明図である。
図９は図７のＡ−Ａ線縦断平面図である。
これ等の図からも判るように、外側塀部材２ｂの後端（ア）と、内側塀部材２ａの前端（カ）が挿通ボルト２１で結合され、内側塀部材２ａの後端（キ）と、外側塀部材２ｂの前端（イ）が挿通ボルト２１’で結合されている。同様に２ｂの後端（ウ）と２ａの前端（ク）、２ａの後端（ケ）と２ｂの前端（エ）・・・・とが結合されている。
この実施例では、挿通ボルトが１本増えるだけで内外の塀部材２が互いに縫合される形となり、塀１が強化安定される。
【実施例３】
【００３６】
この実施例は図７に示すように、実施例１の外側塀部材２ｂの上端をＬ型連結部材４（内側塀部材２ａ）の上端１５より２０〜３０ｃｍ上に出したもので段差となっている。この上に出た部分で、図１０（イ）角形、（ロ）山形のように意匠ができるばかりでなく、外側塀部材２ｂが内側のＬ型連結部材４や内側塀部材２ａを目隠しすることができる。更に段差が棚として利用でき、植木鉢等を設置することができる。
【００３７】
段差とＬ型連結部材の用法としては図１１に示すＬ型連結部材が外向き（イ）、Ｌ型連結部材が内向き（ロ）がある。
【実施例４】
【００３８】
実施例３は図１２に示す。外側塀部材２ｂには良材を密に配設し、内側塀部材２ａは劣材（廉価な材料）を粗く配設したものである。強度が変わらずコストが下がる。
【実施例５】
【００３９】
実施例４は、図１３に示す。実施例１〜３のように塀１の内側を遮蔽する構造ではなく、隙間１６を作って塀１の内側を見せるものである。
この実施例では、Ｌ型連結部材４、平型連結部材５共に長手方向、左右対称位置にボルト６が所定の間隔（隙間１６があくように）で植えられ、これに内外の塀部材２ａ、２ｂがそれぞれのナットで締められ、固定される。
【実施例６】
【００４０】
実施例５は図示していないが、外側塀部材２ｂ及び又は内側塀部材２ａの少なくとも一部を上下逆に取付けるものなので従来に無い意匠となる。
【実施例７】
【００４１】
実施例７は図１４に示す。
側板ボルト２５が設けられた側板２４は柱３に取り付けられる。そして該側板ボルト２５に外側塀部材２ｂ及び又は内側塀部材２ａ（図示しない）の一部が４５度の角度で並列に固定される。
この場合、塀１が曲面のときは構成が困難となるが、従来に無い意匠となる。
【産業上の利用可能性】
【００４２】
セラミックス化処理された木材は、塀部材だけでなく不燃壁部材、土砂止め柵、道路用柵、海洋構築物、その他に利用できる。
【図面の簡単な説明】
【００４３】
【図１】図１は、本発明実施例１の態様を示すもので塀の一部を切り取って、内側から見た斜視図である。
【図２】図２は、実施例１の平面図である。
【図３】図３は、図１の塀を構成する枠を外側から見た斜視図である。
【図４】図４（イ）は、図２のＡ−Ａ線縦断側面図である。                          （ロ）は、図２のＢ−Ｂ線縦断側面図である。
【図５】図５は、塀部材を切出す間伐材の末口の正面図である。
【図６】図６（イ）は、連結部材に設ける張出しを示す断面図である。                （ロ）は、連結部材にボルトを挿通する態様を示す断面図である。                （ハ）は、連結部材に張出し設けて六角窪みとする断面図である。
【図７】図７は実施例２の態様を示すもので、内側から見た斜視図である。
【図８】図８は実施例２の平面図である。
【図９】図９は図７のＡ−Ａ線縦断平面図である。
【図１０】図１０（イ）、（ロ）は、外側上端のデザイン例を示す説明図である。
【図１１】図１１（イ）は実施例３の段差を示すＬ型連結部材の使用例で、                    （ロ）はＬ型連結部材の他の使用例を示す模式図である。
【図１２】図１２は、実施例４の平面図である。
【図１３】図１３は、実施例５の平面図である。
【図１４】図１４は、実施例７の説明図である。
【符号の説明】
【００４４】
１．  塀
２ａ．  内側塀部材
２ｂ．  外側塀部材
３．  柱
４．  Ｌ型連結部材
５．  平型連結部材
６．  ボルト
７．  ナット
８．  ボルト穴
９．  バカ穴
１０．  蓋
１１．  据付けボルト
１２．  取付けボルト
１３．  接合面
１３’．  接合面
１４．  下端
１５．  上端
１６．  隙間
１７．  膨出
１８．  キャップ
１９．  切断面
２０．  雌ネジ
２１．  挿通ボルト
２２．  穴
２３．  ヘッド付ボルト
２４．  側板
２５．  側板ボルト
２６．  六角窪み
３０．  地面
【図１】
2006312810.tif 000003
【図２】
2006312810.tif 000004
【図３】
2006312810.tif 000005
【図４】
2006312810.tif 000006
【図５】
2006312810.tif 000007
【図６】
2006312810.tif 000008
【図７】
2006312810.tif 000009
【図８】
2006312810.tif 000010
【図９】
2006312810.tif 000011
【図１０】
2006312810.tif 000012
【図１１】
2006312810.tif 000013
【図１２】
2006312810.tif 000014
【図１３】
2006312810.tif 000015
【図１４】
2006312810.tif 000016